(57)【特許請求の範囲】
【請求項１】
トラクタの後部にロータリ耕耘装置と畝立作業機を装着する農作業機であって、
前記畝立作業機には、心土破砕装置が装着され、
前記心土破砕装置は、作溝爪と取付手段からなり、前記ロータリ耕耘装置の後方に配置され、
畝部に配置される前記作溝爪は、前記畝立作業機の畝成形部の前部に配置され、
溝部に配置される前記作溝爪は、畝間となる前記畝立作業機の溝成形部の後部に配置される
ことを特徴とする農作業機。
【請求項２】
前記作溝爪は、棒状体で構成され、前記作溝爪の上端は、取付手段を介して畝整形板を取り付ける取付杆に高さ調節可能に取り付け、下部を前下方に延設して、作業時において前記作溝爪下端を前記ロータリ耕耘装置の耕耘爪の下端よりも下方に位置させて取り付けることを特徴とする請求項１に記載の農作業機。
【請求項３】
前記作溝爪を畝間に取り付ける畝間取付手段の高さ調節量は、畝部に作溝爪を取り付ける畝部取付手段の高さ調節量よりも大きくすることを特徴とする請求項１または請求項２に記載の農作業機。
【発明の詳細な説明】
【技術分野】
【０００１】
本発明は、トラクタの後部にロータリ耕耘装置と畝立作業機と心土破砕装置を装着して、心土破砕装置の作溝爪により畝と畝間の溝の排水効果を高める農作業機の技術に関する。
【背景技術】
【０００２】
従来、トラクタの後部に作業機装着装置を介してロータリ耕耘装置と、畝立作業部とを設けて、ロータリ耕耘装置で耕耘し、畝立作業部により畝を成形する技術が公知となっている（例えば、特許文献１参照）。
【先行技術文献】
【特許文献】
【０００３】
【特許文献１】特許第５０５０００４号公報
【発明の概要】
【発明が解決しようとする課題】
【０００４】
前記従来の技術のように、ロータリ耕耘装置で耕耘し、畝立作業部により畝を成形するだけでは湿害が発生していた。
【０００５】
本発明は、以上の如き状況に鑑みてなされたものであり、作溝爪を装着して、その配置構成を工夫することにより湿害対策を効果的に行えるようにする。
【課題を解決するための手段】
【０００６】
本発明の解決しようとする課題は以上の如くであり、次にこの課題を解決するための手段を説明する。
【０００７】
即ち、請求項１においては、トラクタの後部にロータリ耕耘装置と畝立作業機を装着する農作業機であって、前記畝立作業機には、心土破砕装置が装着され、前記心土破砕装置は、作溝爪と取付手段からなり、前記ロータリ耕耘装置の後方に配置され、畝部に配置される前記作溝爪は、前記畝立作業機の畝成形部の前部に配置され、溝部に配置される前記作溝爪は、畝間となる前記畝立作業機の溝成形部の後部に配置されるものである。
【０００８】
請求項２においては、前記作溝爪は、棒状体で構成され、前記作溝爪の上端は、取付手段を介して畝整形板を取り付ける取付杆に高さ調節可能に取り付け、下部を前下方に延設して、作業時において前記作溝爪下端を前記ロータリ耕耘装置の耕耘爪の下端よりも下方に位置させて取り付けるものである。
【０００９】
請求項３においては、前記作溝爪を畝間に取り付ける畝間取付手段の高さ調節量は、畝部に作溝爪を取り付ける畝部取付手段の高さ調節量よりも大きくするものである。
【発明の効果】
【００１０】
以上のような手段を用いることにより、ロータリ耕耘作業と畝立作業と心土破砕作業を同時に行うことが可能となり、作業効率の向上を図るとともに、排水性を良好に保つことができる。また、マルチフイルムにより被覆した場合でも、排水性と保温性を確保することができ、湿害対策を効果的に行うことができる。
【図面の簡単な説明】
【００１１】
【図１】トラクタに装着される農作業機の側面図。
【図２】同じく平面図。
【図３】畝立作業機と心土破砕装置の後面図。
【図４】畝立作業機と心土破砕装置の前方一部斜視図。
【図５】畝立作業機と心土破砕装置の後方一部斜視図。
【発明を実施するための形態】
【００１２】
まず、図１、図２より作業車両の一例としてトラクタ１の後部に配設される作業機装着装置２に装着される農作業機５について説明する。作業機装着装置２は左右のロアリンク３・３とトップリンク４からなり、作業機装着装置２の後部に農作業機５が装着される。該農作業機５はトラクタ１に備えられる昇降装置により昇降可能とされている。
【００１３】
前記農作業機５は、ロータリ耕耘装置１０と畝立作業機２０と心土破砕装置３０とマルチ被覆装置４０とコンベア装置５０からなり、圃場面を耕耘し、その後に畝立と心土破砕が同時に行われ、その後でマルチフイルムが全面に被覆される。
【００１４】
前記ロータリ耕耘装置１０は、左右中央にチェーンケース１１が上下方向に配置され、該チェーンケース１１の上部から前方に入力軸１２が突出されて、トラクタ１の後部より突出されるＰＴＯ軸にユニバーサルジョイントを介して連結され、動力を伝達可能に構成される。なお、ロータリ耕耘装置１０は、本実施形態では、センタードライブ式としているが、サイドドライブ式であっても構わない。
【００１５】
前記チェーンケース１１の下部の左右両側より耕耘軸１３・１３が突出され、該耕耘軸１３・１３上に耕耘爪１４・１４・・・が所定間隔をあけて稙設されている。該耕耘爪１４・１４・・・の上方は耕耘カバー１５により覆われる。前記チェーンケース１１の上部から支柱１６が立設され、該支柱１６の上部に前記トップリンク４の取付部が形成されている。
【００１６】
前記チェーンケース１１の上部両側からはビーム１７・１７が側方に突設され、該ビーム１７・１７の外側端に側枠１８・１８が前後方向に固設されている。該側枠１８・１８の前端に前記ロアリンク３・３の取付部が形成されている。前記側枠１８・１８の後上部から後下方に連結杆２１・２１が突設され、該連結杆２１・２１の後端に取付杆２２が横設される。該取付杆２２に畝立作業機２０と心土破砕装置３０が取り付けられる。
【００１７】
畝立作業機２０は、図１、図２、図３に示すように、二つの畝を成形するように左右一対設けられている。畝立作業機２０は左右対称に配置され、左右の整形板２３・２３・・・と横均し板２４・２４と天板２５・２５と取付部材２７・２７・・・とゲージホイル２６・２６等からなる。整形板２３と横均し板２４と天板２５とゲージホイル２６は取付杆２２に取り付けられる。
【００１８】
前記左右の整形板２３・２３が後面視「八」字状に配置されて、その間の上部に天板２５が略水平に配置されて、該左右の整形板２３・２３により畝の左右の傾斜面を形成しながら押えつけ、上面を天板２５にて押えつけて畝部が形成される。横均し板２４・２４は取付杆２２の左右両端に配置されて、二つの畝の左右外側の非整形部分の圃場面を均す。ゲージホイル２６は整形板２３の後側部に配置されて畝間の谷部を遊転し、畝の高さを調節する。
【００１９】
前記マルチ被覆装置４０は、フイルム支持体４１とフイルム押え４２からなる。フイルム支持体４１とフイルム押え４２は平行リンクからなる支持フレーム４３の後部に支持される。支持フレーム４３の前端は前記側枠１８・１８の後部に横設した横架フレームに支持される。フイルム押え４２と支持フレーム４３は支持フレーム４３により左右に平行移動可能とし、一畝づつずらせて被覆し、全面を被覆するようにしている。フイルム支持体４１はマルチフイルム４４を巻いた筒状の芯体を左右方向に配置して、その左右両側を回転自在に支持する。フイルム押え４２は左右軸心を有する押えローラ４２ａを畝と畝の間の谷部に配置して、マルチフイルム４４の左右両側と左右中央を圃場面に押し付ける。
【００２０】
そして、前記支持フレーム４３の後端には、３つに分岐して左右と後下方に延設されるシュート４５が配置され、コンベア装置５０により運ばれた土をシュート４５前部上に落下させ、該シュート４５により押えローラ４２ａ・４２ａ・４２ａの後方へ案内して落下させるようにしている。このシュート４５から落下した土により、畝と畝の間の谷（溝）のマルチフイルム４４上が押えられて、マルチフイルム４４は畝上面に密着され、めくれることを防止している。
【００２１】
前記コンベア装置５０は、前後方向でロータリ耕耘装置１０と畝立作業機２０の間で、左右の畝と畝の間の土をすくい上げて上後方に搬送し、前記シュート４５の前上部へ落下させるものである。コンベア装置５０はベルトコンベアで構成され、下端を左右の畝の間の溝部の整形部前方に挿入してすくい上げ、耕耘後の土を後上方へ搬送する。コンベア装置５０の上部にはバケットを配置して、バケットの下部にシャッターを配置して、シャッターを間欠的に開閉させて塊状の状態でマルチフイルム４４上に落下させるようにしている。コンベア装置５０は前記チェーンケース１１の側部からユニバーサルジョイント等を介して動力が伝達され駆動される。また、コンベア装置５０の後部は前記支持フレーム４３と連結されて、マルチ被覆装置４０を左右振り替えるときに同時に左右振り替えでき、コンベア装置５０の後端から落下する土は確実にシュート４５上へ落下させるようにしている。
【００２２】
次に、心土破砕装置３０について説明する。心土破砕装置３０は、作溝爪３１と取付手段３２からなる。作溝爪３１は棒状で下部が前方に湾曲され、上部は取付手段３２を介して畝整形板２３を取り付ける取付杆２２に取り付けられる。作溝爪３１の上部には取付手段３２に取り付けるためのボルト孔が複数開口されている。作溝爪３１の下部は前下方に延設して、作業時において作溝爪３１下端はロータリ耕耘装置１０の耕耘爪１４の下端よりも下方に位置させて取り付けられる。こうして、作溝爪３１の下部を耕耘土の下層にできる耕盤に差し込んで前進することで、耕盤を破砕することができる。
【００２３】
そして、図３、図４、図５に示すように、作溝爪３１は畝立作業機２０により整形される畝部と、溝部に配置される。つまり、畝部の左右中央に配置される作溝爪３１は、成形される畝が崩れないように天板２５の前方であって、畝立作業機２０の畝成形部の前部の左右中央となる位置に配置される。また、溝部の左右中央に配置される作溝爪３１は、できるだけ作溝爪３１で切った溝が埋まらないように畝間となる溝成形部の後部に配置される。
【００２４】
更に、前記作溝爪３１は、取付手段３２によって取付杆２２に高さ調節可能に取り付けられる。取付手段３２は、作溝爪３１を取り付ける取付プレート３２ａと、取付プレート３２ａを固定する基部体３２ｂと、基部体３２ｂを取付杆２２に取り付けるための挟持プレート３３からなる。取付プレート３２ａには作溝爪３１を高さ調節可能に取り付けるために複数のボルト孔３２ｃ・３２ｃ・・・が上下方向に所定間隔をあけて開口されている。この間隔は作溝爪３１に設けたボルト孔の間隔に合わせている。但し、作溝爪３１の固定方法は取付プレート３２ａの代わりに角パイプ等で構成することもできる。
【００２５】
また、前記作溝爪３１が基部体３２ｂの左右中央取り付けられるように、取付プレート３２ａは基部体３２ｂの左右中心から偏心して固定されている。つまり、取付プレート３２ａは作溝爪３１の左右幅を考慮した長さだけ基部体３２ｂの中心から偏心して固定されている。
【００２６】
前記基部体３２ｂの一端に取付プレート３２ａが固定され、他端に支持板３２ｄが固定され、該支持板３２ｄから上下２本のボルトを前後水平方向に突設し、挟持プレート３３に設けたボルト孔にボルトを挿入して、支持板３２ｄと挟持プレート３３とによって取付杆２２を挟んでボルトにナットを締め付けて固定する構成としている。但し、挟持プレート３３または支持板３２ｄを側面視コ字状に構成することもできる。
【００２７】
また、畝部の左右中央に心土破砕溝を成形する作溝爪３１は、畝を崩さないように畝成形部よりも前方に配置するために、畝部取付手段３２Ｔの基部体３２ｂを前後方向に長く形成して作溝爪３１が天板２５の前方に位置するように配置される。作溝爪３１を畝間に取り付ける畝間取付手段３２Ｕの基部体３２ｂは、畝成形後に心土破砕溝を成形するため、前後長を短く構成して整形板２３の後部位置に作溝爪３１が配置されるように構成している。
【００２８】
また、作溝爪３１の高さ調節量は、畝部の左右中央に作溝爪３１を取り付ける畝部取付手段３２Ｔの高さ調節量よりも、畝と畝の間に作溝する作溝爪３１を取り付ける畝間取付手段３２Ｕの高さ調節量を大きくしている。つまり、畝中央取付手段３２Ｔの取付プレート３２ａのボルト孔３２ｃの数を多くしたり、作溝爪３１のボルト孔の数を多くしたり、作溝爪３１を長くしたりするのである。こうして、畝立作業機２０により形成する畝の高さに合わせて、畝間に形成する溝の深さを調整できるようにして、排水性を確保できるようにしている。
【００２９】
以上のように、トラクタ１の後部にロータリ耕耘装置１０と畝立作業機２０とマルチ被覆装置４０を装着する農作業機５であって、畝立作業機２０には心土破砕装置３０が装着され、心土破砕装置３０は、作溝爪３１と取付手段３２からなり、畝成形部の前部左右中央と、畝間成形部の後部とに配置されるので、トラクタ１により牽引されながらロータリ耕耘装置１０によるロータリ耕耘作業の後に、畝立作業機２０による畝立作業を行い、畝立後の畝部中央と畝間とに心土破砕装置３０の作溝爪３１により心土破砕作業を行い、その後にマルチ被覆装置４０により畝部と畝間の全面をマルチフイルム４４により被覆され、畝立作業と心土破砕作業とマルチ被覆作業が同時に行え、マルチフイルム被覆後も排水性を良好に保ち、湿害を防止することができるようになった。また、心土破砕装置３０は、作溝爪３１で構成されるため、牽引抵抗を低減することができる。但し、マルチ被覆装置４０を装着せずに作業を行い、排水性を確保することも可能である。
【００３０】
また、前記作溝爪３１は棒状体の下部が前方に湾曲され、上端は取付手段３２を介して畝整形板２３を取り付ける取付杆２２に高さ調節可能に取り付け、下部を前下方に延設して、作業時において作溝爪３１下端をロータリ耕耘装置１０の耕耘爪１４下端よりも下方に位置させて取り付けるので、ロータリ耕耘装置１０で耕耘できない下層を作溝爪３１により破砕することができ、排水性を向上できる。
【００３１】
また、前記作溝爪３１を畝間に取り付ける畝間取付手段３２Ｕの高さ調節量は、畝部左右中央に作溝爪３１を取り付ける畝部取付手段３２Ｔの高さ調節量よりも大きくするので、畝立作業機２０により畝高さを調節したときの畝高さに合わせて、作溝爪３１の下方への突出長さを調節でき、心土破砕が確実にでき、排水性を確保できるようになる。
【００３２】
こうして、トラクタ１の後部にロータリ耕耘装置１０と畝立作業機２０と心土破砕装置３０とマルチ被覆装置４０を装着し、ロータリ耕耘装置１０によるロータリ耕耘作業の後に、畝立作業機２０による畝立作業を行い、畝立時の畝部と畝間とに心土破砕装置３０の作溝爪３１・３１・３１により心土破砕作業を行い、その後にマルチ被覆装置４０により畝部と畝間の全面をマルチフイルム４４により被覆し、排水性と保温性を確保した圃場が得られる。
【符号の説明】
【００３３】
１    トラクタ
５    農作業機
１０  ロータリ耕耘装置
２０  畝立作業機
３０  心土破砕装置
３１  作溝爪
３２  取付手段
４０  マルチ被覆装置
【図１】
0006336407.tif 000002
【図２】
0006336407.tif 000003
【図３】
0006336407.tif 000004
【図４】
0006336407.tif 000005
【図５】
0006336407.tif 000006